【手続補正書】
【提出日】平成19年10月17日(2007.10.17)
【手続補正１】
【補正対象書類名】明細書
【補正対象項目名】発明の名称
【補正方法】変更
【補正の内容】
【発明の名称】表示装置及びその駆動方法
【手続補正２】
【補正対象書類名】特許請求の範囲
【補正対象項目名】全文
【補正方法】変更
【補正の内容】
【特許請求の範囲】
【請求項１】
第１のトランジスタ、第２のトランジスタ、第３のトランジスタ、発光素子、ソースドライバ、第１のゲートドライバ及び第２のゲートドライバを有し、
前記第１のトランジスタのゲート電極はゲート線に電気的に接続され、ソース電極及びドレイン電極の一方はソース線に電気的に接続され、ソース電極及びドレイン電極の他方は前記第３のトランジスタのゲート電極に電気的に接続され、
前記発光素子、前記第２のトランジスタ及び前記第３のトランジスタは、第１の電源と第２の電源の間に直列に電気的に接続され、
前記第２のトランジスタのゲート電極は第３の電源に電気的に接続され、
前記ソースドライバは前記ソース線に電気的に接続され、
前記第１のゲートドライバと前記第２のゲートドライバは前記ゲート線に電気的に接続されることを特徴とする表示装置。
【請求項２】
複数の画素を有する表示領域、ソースドライバ、第１のゲートドライバ及び第２のゲートドライバを有し、
前記複数の画素の各々は、第１のトランジスタ、第２のトランジスタ、第３のトランジスタ及び発光素子を有し、
前記第１のトランジスタのゲート電極はゲート線に電気的に接続され、ソース電極及びドレイン電極の一方はソース線に電気的に接続され、ソース電極及びドレイン電極の他方は前記第３のトランジスタのゲート電極に電気的に接続され、
前記発光素子、前記第２のトランジスタ及び前記第３のトランジスタは、第１の電源と第２の電源の間に直列に電気的に接続され、
前記第２のトランジスタのゲート電極は第３の電源に電気的に接続され、
前記ソースドライバは前記ソース線に電気的に接続され、
前記第１のゲートドライバと前記第２のゲートドライバは前記ゲート線に電気的に接続され、
前記第１のゲートドライバと前記第２のゲートドライバは、前記表示領域を挟んで対向して配置されていることを特徴とする表示装置。
【請求項３】
第１のトランジスタ、第２のトランジスタ、第３のトランジスタ、第４のトランジスタ、発光素子、ソースドライバ、第１のゲートドライバ及び第２のゲートドライバを有し、
前記第１のトランジスタのゲート電極はゲート線に電気的に接続され、ソース電極及びドレイン電極の一方はソース線に電気的に接続され、ソース電極及びドレイン電極の他方は前記第３のトランジスタのゲート電極に電気的に接続され、
前記発光素子、前記第２のトランジスタ及び前記第３のトランジスタは、第１の電源と第２の電源の間に直列に電気的に接続され、
前記第２のトランジスタのゲート電極は第３の電源に電気的に接続され、
前記第４のトランジスタのソース電極及びドレイン電極の一方は前記発光素子の画素電極に電気的に接続され、
前記ソースドライバは前記ソース線に電気的に接続され、
前記第１のゲートドライバと前記第２のゲートドライバは前記ゲート線に電気的に接続されることを特徴とする表示装置。
【請求項４】
複数の画素を有する表示領域、ソースドライバ、第１のゲートドライバ及び第２のゲートドライバを有し、
前記複数の画素の各々は、第１のトランジスタ、第２のトランジスタ、第３のトランジスタ、第４のトランジスタ及び発光素子を有し、
前記第１のトランジスタのゲート電極はゲート線に電気的に接続され、ソース電極及びドレイン電極の一方はソース線に電気的に接続され、ソース電極及びドレイン電極の他方は前記第３のトランジスタのゲート電極に電気的に接続され、
前記発光素子、前記第２のトランジスタ及び前記第３のトランジスタは、第１の電源と第２の電源の間に直列に電気的に接続され、
前記第２のトランジスタのゲート電極は第３の電源に電気的に接続され、
前記第４のトランジスタのソース電極及びドレイン電極の一方は前記発光素子の画素電極に電気的に接続され、
前記ソースドライバは前記ソース線に電気的に接続され、
前記第１のゲートドライバと前記第２のゲートドライバは前記ゲート線に電気的に接続され、
前記第１のゲートドライバと前記第２のゲートドライバは、前記表示領域を挟んで対向して配置されていることを特徴とする表示装置。
【請求項５】
請求項１乃至請求項４のいずれか一項において、
前記ソースドライバは、シフトレジスタ、ラッチ及びスイッチを有することを特徴とする表示装置。
【請求項６】
請求項１乃至請求項４のいずれか一項において、
前記ソースドライバは、シフトレジスタ、ラッチ及びスイッチを有し、
前記スイッチは、消去用トランジスタと、前記ラッチと前記ソース線の間に配置されたアナログスイッチを有し、
前記消去用トランジスタのゲート電極は選択信号線に電気的に接続され、ソース電極及びドレイン電極の一方は前記ソース線に電気的に接続され、ソース電極及びドレイン電極の他方は第４の電源に電気的に接続され、
前記アナログスイッチの制御ノードは、前記選択信号線に電気的に接続されることを特徴とする表示装置。
【請求項７】
請求項１乃至請求項４のいずれか一項において、
前記第１のゲートドライバと前記第２のゲートドライバの各々は、シフトレジスタとスイッチを有することを特徴とする表示装置。
【請求項８】
請求項１乃至請求項４のいずれか一項において、
前記第１のゲートドライバと前記第２のゲートドライバの各々は、シフトレジスタとトライステートバッファを有し、
前記トライステートバッファの入力ノードは前記シフトレジスタに電気的に接続され、制御ノードは選択信号線に電気的に接続され、出力ノードは前記ゲート線に電気的に接続されることを特徴とする表示装置。
【請求項９】
請求項３又は請求項４において、
前記第４のトランジスタのゲート電極と、ソース電極及びドレイン電極の他方は、前記第１の電源に電気的に接続されることを特徴とする表示装置。
【請求項１０】
請求項３又は請求項４において、
前記第４のトランジスタのゲート電極は前記第１の電源に電気的に接続され、前記第４のトランジスタのソース電極及びドレイン電極の他方は前記第３の電源に電気的に接続されることを特徴とする表示装置。
【請求項１１】
請求項３又は請求項４において、
第３のゲートドライバを有し、
前記第４のトランジスタのゲート電極は前記第３のゲートドライバに電気的に接続され、前記第４のトランジスタのソース電極及びドレイン電極の他方は前記第１の電源に電気的に接続されることを特徴とする表示装置。
【請求項１２】
請求項１乃至請求項４のいずれか一項において、
前記第２のトランジスタは飽和領域で動作し、前記第３のトランジスタは線形領域で動作することを特徴とする表示装置。
【請求項１３】
請求項１乃至請求項４のいずれか一項において、
前記第１のトランジスタのオンとオフは、前記第１のゲートドライバ及び前記第２のゲートドライバにより制御されることを特徴とする表示装置。
【請求項１４】
第１のトランジスタ、第２のトランジスタ、第３のトランジスタ、発光素子、ソースドライバ、第１のゲートドライバ及び第２のゲートドライバを有し、
前記ソースドライバは、シフトレジスタ、ラッチ及び選択信号線に電気的に接続されたスイッチを有し、
前記第１のゲートドライバと前記第２のゲートドライバの各々は、シフトレジスタと、前記選択信号線に電気的に接続されたスイッチを有し、
前記選択信号線から伝達される第１の書き込み消去選択信号に従って、前記第１のゲートドライバが含むスイッチが動作状態となり、前記第２のゲートドライバが含むスイッチが不定状態となって、前記第１のゲートドライバによりゲート線が選択され、
前記選択信号線から伝達される第２の書き込み消去選択信号に従って、前記第１のゲートドライバが含むスイッチが不定状態となり、前記第２のゲートドライバが含むスイッチが動作状態となって、前記第２のゲートドライバにより前記ゲート線が選択されることを特徴とする表示装置の駆動方法。
【請求項１５】
第１のトランジスタ、第２のトランジスタ、第３のトランジスタ、発光素子、ソースドライバ、第１のゲートドライバ及び第２のゲートドライバを有し、
前記ソースドライバは、シフトレジスタ、ラッチ及び選択信号線に電気的に接続されたスイッチを有し、
前記第１のゲートドライバと前記第２のゲートドライバの各々は、シフトレジスタと、前記選択信号線に電気的に接続されたスイッチを有し、
前記選択信号線から伝達される第１の書き込み消去選択信号に従って、前記第１のゲートドライバが含むスイッチが動作状態となり、前記第２のゲートドライバが含むスイッチが不定状態となって、前記第１のゲートドライバによりゲート線が選択され、前記ソースドライバが含む消去用トランジスタのソース電極及びドレイン電極の一方の電位が前記第３のトランジスタのゲート電極に伝達され、前記発光素子が非発光となる消去動作が行われ、
前記選択信号線から伝達される第２の書き込み消去選択信号に従って、前記第１のゲートドライバが含むスイッチが不定状態となり、前記第２のゲートドライバが含むスイッチが動作状態となって、前記第２のゲートドライバにより前記ゲート線が選択され、前記ラッチに保持されるビデオ信号の電位が前記第３のトランジスタのゲート電極に伝達され、前記ビデオ信号の電位に従って、前記発光素子が発光又は非発光となる書き込み動作が行われることを特徴とする表示装置の駆動方法。
【請求項１６】
第１のトランジスタ、第２のトランジスタ、第３のトランジスタ、発光素子、ソースドライバ、第１のゲートドライバ及び第２のゲートドライバを有し、
前記ソースドライバは、シフトレジスタ、ラッチ及び選択信号線に電気的に接続されたスイッチを有し、
前記第１のゲートドライバと前記第２のゲートドライバの各々は、シフトレジスタと、前記選択信号線に電気的に接続されたスイッチを有し、
１フレーム期間は、複数のサブフレーム期間を有し、
前記複数のサブフレーム期間の各々は、書き込み期間と点灯期間とを有し、
前記書き込み期間は、複数のゲート選択期間を有し、
前記複数のゲート選択期間の各々は、第１のサブゲート選択期間と第２のサブゲート選択期間を有し、
前記第１のサブゲート選択期間において、前記選択信号線から伝達される第１の書き込み消去選択信号に従って、前記第１のゲートドライバが含むスイッチが動作状態となり、前記第２のゲートドライバが含むスイッチが不定状態となって、前記第１のゲートドライバによりゲート線が選択され、
前記第２のサブゲート選択期間において、前記選択信号線から伝達される第２の書き込み消去選択信号に従って、前記第１のゲートドライバが含むスイッチが不定状態となり、前記第２のゲートドライバが含むスイッチが動作状態となって、前記第２のゲートドライバにより前記ゲート線が選択されることを特徴とする表示装置の駆動方法。
【請求項１７】
第１のトランジスタ、第２のトランジスタ、第３のトランジスタ、発光素子、ソースドライバ、第１のゲートドライバ及び第２のゲートドライバを有し、
前記ソースドライバは、シフトレジスタ、ラッチ及び選択信号線に電気的に接続されたスイッチを有し、
前記第１のゲートドライバと前記第２のゲートドライバの各々は、シフトレジスタと、前記選択信号線に電気的に接続されたスイッチを有し、
１フレーム期間は、複数のサブフレーム期間を有し、
前記複数のサブフレーム期間の各々は、書き込み期間と点灯期間とを有し、
前記書き込み期間は、複数のゲート選択期間を有し、
前記複数のゲート選択期間の各々は、第１のサブゲート選択期間と第２のサブゲート選択期間を有し、
前記第１のサブゲート選択期間において、前記選択信号線から伝達される第１の書き込み消去選択信号に従って、前記第１のゲートドライバが含むスイッチが動作状態となり、前記第２のゲートドライバが含むスイッチが不定状態となって、前記第１のゲートドライバにより前記ゲート線が選択され、前記ソースドライバが含む消去用トランジスタのソース電極及びドレイン電極の一方の電位が前記第３のトランジスタのゲート電極に伝達され、前記発光素子が非発光となる消去動作が行われ、
前記第２のサブゲート選択期間において、前記選択信号線から伝達される第２の書き込み消去選択信号に従って、前記第１のゲートドライバが含むスイッチが不定状態となり、前記第２のゲートドライバが含むスイッチが動作状態となって、前記第２のゲートドライバにより前記ゲート線が選択され、前記ラッチに保持されるビデオ信号の電位が前記第３のトランジスタのゲート電極に伝達され、前記ビデオ信号の電位に従って、前記発光素子が発光又は非発光となる書き込み動作が行われることを特徴とする表示装置の駆動方法。
【請求項１８】
請求項１４乃至請求項１７のいずれか一項において、
前記選択信号線から出力される書き込み消去選択信号の周期は、前記第１のゲートドライバと前記第２のゲートドライバに入力されるクロック信号の周期の２倍であることを特徴とする表示装置の駆動方法。
【請求項１９】
請求項１４乃至請求項１７のいずれか一項において、
前記第２のトランジスタは飽和領域で動作し、前記第３のトランジスタは線形領域で動作することを特徴とする表示装置の駆動方法。
【請求項２０】
請求項１４乃至請求項１７のいずれか一項において、
前記第１のトランジスタのオンとオフは、前記第１のゲートドライバ及び前記第２のゲートドライバにより制御されることを特徴とする表示装置の駆動方法。